(57)【特許請求の範囲】
【請求項１】
メイン機能モジュール、電源からの第一作動電圧を受けるサブ機能モジュール及びリセット信号を受信するリセットリードを備え、前記リセット信号に基づいて初期化する処理ユニットと、
前記処理ユニットの初期化が完了したらパルス電圧を生成する制御ユニットと、
前記パルス電圧が第一レベル状態になると導通され、前記パルス電圧が第二レベル状態になると断開するスイッチユニットと、
前記パルス電圧に対してタイムディレーして、前記パルス電圧を所定時間Δｔほど遅延して前記スイッチユニットに伝送させるタイムディレーユニットと、
前記スイッチユニットが導通する際、前記電源からの第二作動電圧を受けて電気エネルギーを貯蓄して生成した第三作動電圧を前記メイン機能モジュールに伝送して、前記処理ユニットを正常に作動させ、前記スイッチユニットが断開する際、電気エネルギーを解放して、前記第三作動電圧を維持するエネルギー貯蓄ユニットと、
を備えることを特徴とする電子装置。
【請求項２】
前記第一レベル状態は低レベル状態であり、前記第二レベル状態は高レベル状態であることを特徴とする請求項１に記載の電子装置。
【請求項３】
前記スイッチユニットは、トランジスタを備え、前記トランジスタのエミッタは前記電源に接続され、前記トランジスタのコレクタは前記エネルギー貯蓄ユニットに接続され、  前記タイムディレーユニットは、第一キャパシター及び第一レジスターを備え、前記第一レジスターの一端は、前記制御ユニットに接続され、前記第一レジスターの他端は、前記トランジスタのベースに接続され、前記第一キャパシターの一端は、前記電源に接続され、前記第一キャパシターの他端は、前記第一レジスターと前記トランジスタのベースとの間に接続されることを特徴とする請求項１に記載の電子装置。
【請求項４】
前記スイッチユニットは、ダイオードをさらに備え、前記ダイオードの正極は、前記電源に接続され、前記ダイオードの負極は、前記トランジスタのエミッタに接続されることを特徴とする請求項３に記載の電子装置。
【請求項５】
前記第一キャパシターのキャパシタンスを調節することができることを特徴とする請求項３に記載の電子装置。
【請求項６】
前記エネルギー貯蓄ユニットは、電解キャパシターを備え、前記電解キャパシターの正極は前記スイッチユニットと前記処理ユニットとの間に接続され、前記電解キャパシターの負極は接地することを特徴とする請求項１に記載の電子装置。
【請求項７】
前記第三作動電圧に対して分圧してフィードバック信号を生成するフィードバックユニットをさらに備え、前記制御ユニットは、前記フィードバック信号に基づいて、前記パルス電圧のパルス幅を調節することを特徴とする請求項６に記載の電子装置。
【請求項８】
前記フィードバックユニットは、第二レジスター及び第三レジスターを備え、前記第二レジスターの一端は前記電解キャパシターの正極に接続され、前記第二レジスターの他端は前記制御ユニットに接続され、前記第三レジスターの一端は前記第二レジスターと前記制御ユニットとの間に接続され、前記第三レジスターの他端は接地することを特徴とする請求項７に記載の電子装置。
【請求項９】
前記処理ユニットのメイン機能モジュールに伝送される前記第三作動電圧をフィルタリングしてノイズを除去するフィルターユニットをさらに備えることを特徴とする請求項１に記載の電子装置。
【発明の詳細な説明】
【技術分野】
【０００１】
本発明は、電子装置に関するものである。
【背景技術】
【０００２】
電子装置をスタートオンする瞬間、その内部の集積回路は初期化することを必要とする。前記電子装置は、制御ユニット、スイッチユニット及び処理ユニットを備える。前記スイッチユニットは、外部の電源と前記処理ユニットとの間に接続される。前記処理ユニットは、メイン機能モジュールと、サブ機能モジュール及びリセットリードを備える。前記電源は、前記処理ユニットのサブ機能モジュール及び前記制御ユニットに第一作動電圧を提供する。先ず、前記サブ機能モジュールが第一作動電圧を受けるとともに、前記リセットリードはリセット信号を受信するので、前記処理ユニットは、前記リセット信号に基づいて初期化して、前記電子装置が安定に作動できるように条件を生成する。次に、前記制御ユニットからの制御信号によって、前記スイッチユニットが導通され、前記電源は、前記スイッチユニットを介して前記処理ユニットのメイン機能モジュールに第二作動電圧を提供して、前記電子装置が正常に作動する。
【発明の概要】
【発明が解決しようとする課題】
【０００３】
しかし、前記電子装置がスタートオンされる瞬間、前記処理ユニットのリセットリードは電磁干渉によるノイズを受信するので、前記処理ユニットが初期化しているところに異常が発生する。この時、もし第二作動電圧が前記スイッチユニットを介して前記メイン機能モジュールに伝送されると、前記処理ユニットに故障が発生し、さらに前記電子装置の正常作動を影響する。
【０００４】
本発明の目的は、前記課題を解決し、スタートオンされる瞬間に処理ユニットを保護する電子装置を提供することである。
【課題を解決するための手段】
【０００５】
本発明に係る電子装置は、メイン機能モジュール、電源からの第一作動電圧を受けるサブ機能モジュール及びリセット信号を受信するリセットリードを備え、前記リセット信号に基づいて初期化する処理ユニットと、前記処理ユニットの初期化が完了したらパルス電圧を生成する制御ユニットと、前記パルス電圧が第一レベル状態になると導通され、前記パルス電圧が第二レベル状態になると断開するスイッチユニットと、前記パルス電圧に対してタイムディレーして、前記パルス電圧を所定時間Δｔほど遅延して前記スイッチユニットに伝送させるタイムディレーユニットと、前記スイッチユニットが導通する際、前記電源からの第二作動電圧を受けて電気エネルギーを貯蓄して生成した第三作動電圧を前記メイン機能モジュールに伝送して、前記処理ユニットを正常に作動させ、前記スイッチユニットが断開する際、電気エネルギーを解放して、前記第三作動電圧を維持するエネルギー貯蓄ユニットと、を備える。
【発明の効果】
【０００６】
本発明の電子装置は、タイムディレーユニットによってスイッチユニットに伝送されるパルス電圧に対してタイムディレーするので、前記電子装置がスタートオンされる瞬間に、処理ユニットが初期化しているところ異常が出現したとしても、前記パルス電圧は前記スイッチユニットに伝送されないので、前記スイッチユニットは導通しなく、従って前記処理ユニットも第三作動電圧を受けなく、前記処理ユニットを効果的に保護することができる。
【図面の簡単な説明】
【０００７】
【図１】本発明の実施形態に係る電子装置の機能ブロック図である。
【図２】図１に示す電子装置の回路図である。
【発明を実施するための形態】
【０００８】
以下、図面を参照して、本発明の実施形態について説明する。
【０００９】
図１は、本発明の実施形態に係る電子装置１００の機能ブロック図である。前記電子装置１００は、処理ユニット１０と、制御ユニット２０と、タイムディレーユニット３０と、スイッチユニット４０と、エネルギー貯蓄ユニット５０と、フィルターユニット６０と、フィードバックユニット８０と、を備える。本実施形態において、前記処理ユニット１０は、エンコーダーである。前記電子装置１００は、外部の電源２００から印加される第一作動電圧Ｖｃｃ１及び第二作動電圧Ｖｃｃ２を受けて正常に作動する。本実施形態において、前記第一作動電圧Ｖｃｃ１及び前記第二作動電圧Ｖｃｃ２は、別々に３．３Ｖ及び５Ｖである。
【００１０】
前記処理ユニット１０は、サブ機能モジュール１２、リセットリード１４及びメイン機能モジュール１５を備える。前記サブ機能モジュール１２が前記第一作動電圧Ｖｃｃ１を受けるとともに、前記リセットリード１４はリセット信号を受信して、前記処理ユニット１０は前記リセット信号に基づいて初期化する。
【００１１】
前記制御ユニット２０は、前記処理ユニット１０の初期化が完了したら、パルス電圧を生成する。
【００１２】
前記タイムディレーユニット３０は、前記パルス電圧に対してタイムディレーして、前記パルス電圧が所定時間Δｔほど遅延して前記スイッチユニット４０に伝送されるようにする。
【００１３】
前記パルス電圧が第一レベル状態になると、前記スイッチユニット４０は導通され、前記パルス電圧が第二レベル状態になると、前記スイッチユニット４０は断開する。本実施形態において、前記第一レベル状態は低レベル状態であり、前記第二レベル状態は高レベル状態である。
【００１４】
前記エネルギー貯蓄ユニット５０は、前記スイッチユニット４０が導通される際、前記電源２００から印加する第二作動電圧Ｖｃｃ２を受けて電気エネルギーを貯蓄して、第三作動電圧を生成し、前記スイッチユニット４０が断開する際、電気エネルギーを解放して、前記第三作動電圧を維持する。
【００１５】
前記フィルターユニット６０は、前記処理ユニット１０のメイン機能モジュール１５に伝送される前記第三作動電圧をフィルタリングしてノイズを除去する。前記メイン機能モジュール１５は、フィルタリングした前記第三作動電圧を受けて、前記処理ユニット１０が正常に作動するようにする。
【００１６】
前記フィードバックユニット８０は、前記第三作動電圧に対して分圧してフィードバック信号を生成する。前記制御ユニット２０は、前記フィードバック信号に基づいて、前記パルス電圧のパルス幅を調節して、前記スイッチユニット４０の導通状態を変換する。
【００１７】
前記電子装置１００は、前記タイムディレーユニット３０によって、前記スイッチユニット４０に伝送されるパルス電圧に対してタイムディレーするので、前記スイッチユニット４０は遅延して導通され、前記第二作動電圧Ｖｃｃ２も遅延して前記エネルギー貯蓄ユニット５０に伝送されて、前記処理ユニット１０も遅延して前記第三作動電圧を受ける。前記電子装置１００がスタートオンされる瞬間に、前記処理ユニット１０が初期化しているところで異常が発生したとしても、前記第三作動電圧が遅延して前記処理ユニット１０に伝送されるので、前記処理ユニット１０を保護することができる。
【００１８】
図２を一緒に参照すると、前記タイムディレーユニット３０は、第一キャパシターＣ１及び第一レジスターＲ１を備える。前記第一レジスターＲ１の一端は、前記制御ユニット２０に接続され、前記第一レジスターＲ１の他端は、前記スイッチユニット４０に接続される。前記第一キャパシターＣ１の一端は、前記電源２００に接続され、前記第一キャパシターＣ１の他端は、前記第一レジスターＲ１と前記スイッチユニット４０との間に接続される。前記スイッチユニット４０は、ダイオードＤ１及びトランジスタＱ１を備える。前記ダイオードＤ１の正極は、前記電源２００に接続され、前記ダイオードＤ１の負極は、前記トランジスタＱ１のエミッタに接続される。前記トランジスタＱ１のベースは、前記第一レジスターＲ１に接続され、前記トランジスタＱ１のコレクタは、前記エネルギー貯蓄ユニット５０に接続される。本実施形態において、前記トランジスタＱ１は、ＰＮＰ型トランジスタである。
【００１９】
前記エネルギー貯蓄ユニット５０は、電解キャパシターＣ２を備える。前記電解キャパシターＣ２の正極は、前記トランジスタＱ１のコレクタと前記フィルターユニット６０との間に接続され、前記電解キャパシターＣ２の負極は接地する。前記トランジスタＱ１が導通されると、前記電源２００から印加する第二作動電圧Ｖｃｃ２は、前記ダイオードＤ１及び前記トランジスタＱ１によって、前記電解キャパシターＣ２に対して充電して第三作動電圧を生成する。前記トランジスタＱ１が断開すると、前記電解キャパシターＣ２は、電気エネルギーを解放して、前記第三作動電圧を維持する。
【００２０】
前記フィルターユニット６０は、第二キャパシターＣ３を備える。前記第二キャパシターＣ３の一端は、前記電解キャパシターＣ２の正極と前記処理ユニット１０との間に接続され、前記第二キャパシターＣ３の他端は接地する。
【００２１】
前記フィードバックユニット８０は、第二レジスターＲ２及び第三レジスターＲ３を備える。前記第二レジスターＲ２の一端は、前記電解キャパシターＣ２の正極に接続され、前記第二レジスターＲ２の他端は、前記制御ユニット２０に接続される。前記第三レジスターＲ３の一端は、前記第二レジスターＲ２と前記制御ユニット２０との間に接続され、前記第三レジスターＲ３の他端は、接地する。前記第二レジスターＲ２及び前記第三レジスターＲ３は、前記第三作動電圧に対して分圧してフィードバックを生成する。前記制御ユニット２０は、前記フィードバック信号に基づいて、前記パルス電圧のパルス幅を調節して、前記トランジスタＱ１の導通状態を変換して、前記トランジスタＱ１の導通抵抗を変換させる。
【００２２】
以下、前記電子装置１００の作動原理を説明する。
【００２３】
前記電子装置１００がスタートオンされる瞬間、前記処理ユニット１０のリセットリード１４が電磁干渉によるノイズを受信すると、前記第一キャパシターＣ１の作用によって、前記トランジスタＱ１のベースは高レベル状態になって、前記トランジスタＱ１は断開状態になる。パルス電圧は、充電時間τ＝Ｒ１×Ｃ１を経てから前記トランジスタＱ１に伝送される。だから、前記第二作動電圧Ｖｃｃ２も時間τほど遅延して前記エネルギー貯蓄ユニット５０に伝送され、前記エネルギー貯蓄ユニット５０が生成する第三作動電圧も時間τほど遅延して前記処理ユニット１０のメイン機能モジュール１５に伝送されるので、前記処理ユニット１０を保護することができる。
【００２４】
他の実施形態において、前記第一キャパシターＣ１のキャパシタンスを調節することができ、従って充電時間τ＝Ｒ１×Ｃ１を調節することができ、前記処理ユニット１０の異なる遅延要求に適応することができる。
【００２５】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２６】
１０  処理ユニット
１２  サブ機能モジュール
１４  リセットリード
１５  メイン機能モジュール
２０  制御ユニット
３０  タイムディレーユニット
４０  スイッチユニット
５０  エネルギー貯蓄ユニット
６０  フィルターユニット
８０  フィードバックユニット
１００  電子装置
２００  電源
Ｃ１  第一キャパシター
Ｃ２  電解キャパシター
Ｃ３  第二キャパシター
Ｄ１  ダイオード
Ｑ１  トランジスタ
Ｒ１  第一レジスター
Ｒ２  第二レジスター
Ｒ３  第三レジスター
Ｖｃｃ１  第一作動電圧
Ｖｃｃ２  第二作動電圧
【図１】
0005509135.tif 000002
【図２】
0005509135.tif 000003